(57)【特許請求の範囲】
【請求項１】
仮設線を一時的に設置し、そのあとで仮設線を本線に改変するのに使用する枕木であり、仮設線用レールを固定するための補助枕木片を本線用枕木片上に分離可能に結合したことを特徴とする枕木の構造。
【請求項２】
補助枕木片の本線用枕木片上への結合がボルト締結により行なわれている請求項１記載の枕木の構造。
【請求項３】
補助枕木片の本線用枕木片上への結合が切削可能な埋め栓により行なわれている請求項１記載の枕木の構造。
【請求項４】
仮設線を一時的に設置し、そのあとで仮設線を本線に改変するのに使用する枕木であり、本線用レールを固定するための補助枕木片を仮設線用枕木片上に結合したことを特徴とする枕木の構造。
【請求項５】
枕木がガラス長繊維強化合成樹脂製である請求項１〜４何れか記載の枕木の構造。
【請求項６】
請求項３記載の枕木を用いて一時的に設置した仮設線を本線に改変するにあたり、補助枕木片内の埋め栓部分を穿孔切削して補助枕木片を本線用枕木片から分離することを特徴とする枕木の施工方法。
【発明の詳細な説明】
【０００１】
【発明の属する技術分野】
本発明は、鉄道軌道工事において仮設線を一時的に設置し、そのあとで仮設線を計画線に改変する場合に使用する枕木の構造及び枕木の施工方法に関するものである。
【０００２】
【従来の技術】
既設の鉄道軌道を計画線に敷設替えする場合、仮設線を一時的に設置し、その後で仮設線を本来の計画線（以下、本線と称することがある）に最終的に改変している。
例えば、図１３の（イ）に示す既設線ＡＢ……Ｘの区間ＡＢを新規の計画線ａｂに切り替える場合、図１３の（ロ）に示すように、既設線区間ＡＢに対し仮設線ａ'ｂ'を設置のうえ、図１３の（ハ）に示すように、既設線ＡＢを撤去し、この撤去後は、線路ａ'ｂ'Ｂ……Ｘを軌道として使用し、所定期間の経過後（例えば、半年〜一年後）に、仮設線ａ'ｂ'を本線ａｂに改築するようにしている。
しかしながら、従来では、レールの設置高さ、カント、横方向間隔を本線に要求される値に変更するのに、枕木全体を取り替えており、区間ＡＢ、またはａ'ｂ'或いはａｂが長距離であると、仮設線ａ'ｂ'を本線ａｂに改築するのに時間がかかり過ぎ、輸送に重大な支障を来すことになる。尤も、この切り替え区間ＡＢを複数の短いサブ区間に分けて工事を行なえば、かかる不都合は解消できるが、工事が細切れとなって工期が長くなり、工費アップが余儀なくされる。
そこで、線路ａ'ｂ'Ｂ……Ｘを軌道として使用している間に、図１３の（ニ）に示すように、本線ａｂを設置し、この本線ａｂの設置後に、図１３の（ホ）に示すように、上記の仮設線ａ'ｂ'を撤去して既設線区間ＡＢを新規の計画線ａｂに切り替えることが知られている。
【０００３】
しかしながら、この工法では、仮設線ａ'ｂ'の設置及び撤去において、（１）仮設線用道床工事、（２）仮設線用枕木及び仮設線用レールの敷設、（３）仮設線用枕木及び仮設線用レールの撤去を必要とし、更に、計画線ａｂの設置において、（４）計画線用道床工事、（５）計画線用枕木及び計画線用レールの敷設を必要とし、工程数が多く、工期の長期化や工費の高コスト化が避けられない。
【０００４】
本発明の目的は、既設線を新規の計画線に切り替える場合、仮設線工事と計画線工事との充分な共用化により工期の短縮化、工事費の低減を可能とする枕木を提供することにある。
【０００５】
本発明の他の目的は、上記工期の短縮化、工事費の低減に加え、本線を良好な枕木外観のもとで構築できる枕木の施工方法を提供することにある。
【０００６】
【課題を解決するための手段】
本発明に係る請求項１の枕木の構造は、仮設線を一時的に設置し、そのあとで仮設線を本線に改変するのに使用する枕木であり、仮設線用レールを固定するための補助枕木片を本線用枕木片上に分離可能に結合したことを特徴とし、請求項２によれば、補助枕木片の本線用枕木片上への結合をボルト締結により行なうことができ、請求項３によれば、補助枕木片の本線用枕木片上への結合を切削可能な埋め栓により行なうことができる。
【０００７】
本発明に係る請求項４の枕木の構造は、仮設線を一時的に設置し、そのあとで仮設線を本線に改変するのに使用する枕木であり、本線用レールを固定するための補助枕木片を仮設線用枕木片上に結合したことを特徴とする。
【０００８】
本発明に係る請求項５によれば、枕木をガラス長繊維強化合成樹脂製とすることができる。
【０００９】
本発明に係る請求項６の枕木の施工方法は、上記した、補助枕木片の本線用枕木片上への結合を切削可能な埋め栓により行なった枕木を用いて一時的に設置した仮設線を本線に改変するにあたり、補助枕木片内の埋め栓部分を穿孔切削して補助枕木片を本線用枕木片から分離することを特徴とする。
【００１０】
【発明の実施の形態】
以下、図面を参照しつつ本発明の実施の形態について説明する。
図１の（イ）は請求項１に係る枕木の一実施例を示す側面図、図１の（ロ）は同じく上面図であり、仮設線用レールを固定した状態を示している。
図１において、１１は本線用枕木片、１２は補助枕木片であり、両者１１，１２を分離可能に締結部材３で結合してある。
上記計画線用枕木片１１の厚みや上面勾配は、計画線用レール２１，２１（未設置であるので、点線で示してある）を所定の高さ、カント、間隔で固定し得るように設定してある。また、補助枕木片１２の厚みや上面勾配は、仮設線用レール２２，２２を計画線用枕木片１１を介して所定の高さ、カント、間隔で固定し得るように設定してある。
【００１１】
請求項１に係る枕木においては、後述の使用例から明らかなように、仮設線用レール２２，２２の設置高さ（枕木下面を基準とした高さ。以下、レール設置高さはこの基準による。）が本線用レール２１，２１の設置高さよりも高い場合に、仮設線を一時的設置したうえで本線を設置するときに用いられ、補助枕木片１２が本線用枕木片１１の上面に結合されている。通常、枕木製造工場で結合され、この結合状態で現場に運送されて道床上に配設される。
【００１２】
図２の（イ）〜（ハ）は請求項１に係る枕木を用い、既設線ＡＢ……Ｘの区間ＡＢに対し、仮設線ａ'ｂ'の一時的設置のもとで本線ａｂを設置して既設線区間ＡＢを本線ａｂに切り替える工事例を示している。
まず、図２の（イ）に示すように既設線ＡＢ……Ｘの区間ＡＢに対応して仮設線道床４１'を、バラスト投入・均らしにより所定の高さレベルで敷設し、ついで、この仮設線道床上に上記した請求項１に係る枕木ｍを所定の前後間隔で配設し、而るのち、これら枕木の補助枕木片１２の上面に仮設線用レール２２，２２を犬釘、タイプレート等の締結装置により所定の設置高さ、カント、間隔で固定して仮設線ａ'ｂ'を設置する。
この仮設線区間ａ'ｂ'の設置後の適時に、図２の（ロ）に示すように、既設線区間ＡＢを撤去する。この既設線区間ＡＢの撤去後は、線路ａ'ｂ'Ｂ……Ｘが軌道として使用される。
その後、適時に仮設線ａ'ｂ'の仮設線用レール２２，２２及び補助枕木片１２を撤去し、而るのち、図２の（ハ）に示すように残置された仮設線道床４１'上の本線用枕木片１１，…上に本線用レール２１，２１を所定の設置高さ、カント、間隔で犬釘、タイプレート等の締結装置により固定して仮設線ａ'ｂ'を本線ａｂに改変する。
【００１３】
而して、仮設線ａ'ｂ'を本線ａｂに改変するまでの工程を、前記図１３により説明した従来例と比較すると、設置仮設線ａ'ｂ'からの補助枕木片１２の分離撤去を従来例での同仮設線区間からの仮設線用枕木の撤去に対応させても、（１）本線用道床工事が仮設線用道床工事で実質的に賄われているので、本線用道床工事を実質上省略でき、（２）本線用枕木片が仮設線工事での枕木敷設時に配設されているので、本線工事では枕木配設工事が不要である等により、従来例よりも本線工事を著しく短い工期で行なうことができ、従って、全体として工期を短縮でき、工事費の低減を図ることができる。
また、既設線区間ＡＢまたは仮設線ａ'ｂ'或いは本線ａｂが長距離であっても、仮設線ａ'ｂ'を本線ａｂに充分に短い工期で改変できるから、この改変工事中の区間ａ'ｂ'の不通による輸送障害を軽度にとどめることができる。
【００１４】
上記補助枕木片１２には、仮設線用レール２２，２２を本線用枕木片１１を介して所定の高さ、カント、横方向間隔で支持し得るものであれば、適宜のものを使用でき、本線用枕木片の上面全体を覆うものであることは必ずしも要求されない。例えば、図３に示すように、本線用枕木片１１よりも短い単品１２を本線用枕木片１１に分離可能に締結部材３により結合したもの、または、図４に示すように、各仮設線用レールに対する高さ調整用パット１２，１２を本線用枕木片１１に分離可能に締結部材３により結合したもの、或いは、図５に示すように、高さ調整用パット１２’，１２’付き（例えば、接着剤で付けたもの）のベース板１２を本線用枕木片１１に分離可能に締結部材３により結合したもの等を用いることができる。
【００１５】
上記本線用枕木片と補助枕木片との結合構造には、分離可能であり、しかも上記の仮設線区間ａ'ｂ'を通過する車両の輪荷重等の外部荷重に仮設線の使用期間中（例えば、半年〜一年）耐え得るものであれば、適宜の構造を使用でき、請求項２では、ボルト締結構造を用いている。このボルト締結構造としては、例えば、両枕木片の端部にボルト挿通用孔を設けボルト・ナットで締結する構造、一方の枕木片の端部に雌螺子孔金属部材を埋め込み、他方の枕木片の端部にボルト挿通用孔を設け、雌螺子孔金属部材への挿通ボルトの螺結により締結する構造等を使用できる。上記のボルト挿通用孔は、金属製またはプラスチック製のボルト挿通用筒状部材の埋め込みにより設けることができる。また、本線用枕木片と補助枕木片とを雌雄の段部で嵌合することもできる。
【００１６】
このボルト締結構造以外に、請求項３によれば、図６に示すように、補助枕木片１２〔図６の（イ）に示すものでは、高さ調整用パット１２’付きベース板１２を、図６の（ロ）に示すものでは、高さ調整用パット単体１２をそれぞれ使用している〕から本線用枕木片１１に達する穴３０を穿設し、この穴３０に切削可能な材質の埋め栓３を打ち込んで両枕木片１１，１２を結合することができ、分離は、補助枕木片１２内の埋め栓部分をドリル等で穿孔切削することにより容易に行なうことができる。この場合、枕木片１１，１２及び埋め栓３には、枕木と同材質のものを使用することが好ましく、後述するガラス長繊維強化樹脂製とすることが好適である。
埋め栓で結合する場合も、上記と同様に、例えば図６の（ハ）に示す通り、本線用枕木片１１と補助枕木片１２とを雌雄の段部ｅで嵌合することができる。
【００１７】
上記請求項１に係る枕木の使用例は、既設線の一部区間を新規の本線区間に切り替える場合の例示であるが、既設線ＡＢ……Ｘ全体を、区間ＡＢ、区間ＢＣ、区間ＣＤ、……の順で本線に切り替えていく場合にも適用できる。
【００１８】
図７の（イ）は請求項４に係る枕木の一実施例を示す側面図、図７の（ロ）は同じく上面図である。
図７において、１２０は仮設線用枕木片、１１０は補助枕木片であり、両者１１０，１２０が締結部材３で結合される。
上記仮設線用枕木片１２０の厚みや上面勾配は、仮設線用レール２２，２２を所定の高さ、カント、間隔で固定し得るように設定してある。また、補助枕木片１１０の厚みや上面勾配は、本線用レール２１，２１を仮設線用枕木片１２０との下積みで所定の高さ、カント、間隔にて固定し得るように設定してある。
【００１９】
請求項４に係る枕木は、後述の使用例から明らかなように、仮設線用レール２２，２２の設置高さ（既述した通り枕木下面を基準とした高さ。以下、レール設置高さはこの基準による。）が本線用レール２１，２１の設置高さよりも低い場合に、仮設線の一時的設置のうえで本線を設置するのに用いられる。従って、本線工事時に補助枕木片１１０が仮設線用枕木片１２０の上面に結合される。
【００２０】
図８の（イ）〜（ハ）は、請求項４に係る枕木を用い、既設線ＡＢ……Ｘの区間ＡＢに対し、仮設線区間ａ'ｂ'の一時的設置のもとで本線区間ａｂを設置して既設線区間ＡＢを本線ａｂに切り替える工事例を示している。
まず、図８の（イ）に示すように既設線ＡＢ……Ｘの区間ＡＢに対応して仮設線道床４１'を、バラストの投入・均らしにより所定の高さレベルで敷設し、ついで、この仮設線道床４１'上に上記請求項４に係る枕木を、補助枕木片を分離し仮設線用枕木片１２０のみにて所定の前後間隔で配設し、而るのち、これらの仮設線用枕木片１２０，…の上面に仮設線用レール２２，２２を犬釘、タイプレート等の締結装置により所定の設置高さ、カント、間隔で固定して仮設線区間ａ'ｂ'を設置する。
この仮設線区間ａ'ｂ'の設置後の適時に、図８の（ロ）に示すように、既設線区間ＡＢを撤去する。この既設線区間ＡＢの撤去後は、線路ａ'ｂ'Ｂ……Ｘが軌道として使用される。
その後、適時に仮設線ａ'ｂ'の仮設線用レール２２，２２を撤去し、而るのち、図８の（ハ）に示すように残置された仮設線道床４１'上の仮設線用枕木片１２０，…に補助枕木片１１０，…を結合し、これらの補助枕木片１１０，…上に本線用レール２１，２１を所定の設置高さ、カント、間隔で犬釘、タイプレート等の締結装置により固定して本線区間ａｂを設置する。
【００２１】
而して、上記の仮設線ａ'ｂ'を本線ａｂに改変する間の工程を、図１３により説明した従来例と比較すると、（１）本線用道床工事が仮設線用道床工事で実質的に賄われているので、本線用道床工事を実質上省略でき、（２）本線用レールの固定取付け作業に先立っての補助枕木片の既存仮設線用枕木片への結合作業を、従来例での本線用レールの固定取付け作業に先立っての本線用枕木の配設に対応させても、本使用例では従来の仮設線からの仮設線用枕木の撤去作業が無いから、従来例よりも全体の工事を充分に短期間で行なうことができ、従って、全体として工期を短縮でき、工事費の低減を図ることができる。また、既設線区間ＡＢまたは仮設線ａ'ｂ'或いは本線ａｂが長距離であっても、仮設線ａ'ｂ'を本線ａｂに充分に短い工期で改変できるから、この改変工事中の既設区間ＡＢの不通による輸送障害を軽度にとどめることができる。
【００２２】
上記補助枕木片１１０においては、仮設線用枕木片１２０に後述の強固な結合構造で結合された状態で本線用レール２１，２１を所定の設置高さ、カント、横方向間隔で固定し得るものであればよく、必ずしも、仮設線用枕木片１２０の上面全体を覆うものであることは要求されない。例えば、図９に示すように、仮設線用枕木片１２０よりも短い単品１１０を仮設線用枕木片１２０に分離可能に締結部材３により結合したもの、または、図１０に示すように、２箇の高さ調整用パット１１０，１１０のそれぞれを仮設線用枕木片１２０に分離可能に締結部材３により結合したもの、或いは、図１１に示すように、２箇の高さ調整用パット１１０’，１１０’付きのベース板１１０を仮設線用枕木片１２０に分離可能に締結部材３により結合したものを用いることができる。
【００２３】
上記仮設線用枕木片１２０と補助枕木片１１０との結合構造には、簡単に結合可能であり、しかも上記の本線区間ａｂを通過する車両の輪荷重等の外部荷重に耐え得るものであれば、適宜の構造を使用できる。例えば、両枕木片の端部にボルト挿通用孔を設けボルト・ナットで締結する構造、一方の枕木片の端部に雌螺子孔金属部材を埋め込み、他方の枕木片の端部にボルト挿通用孔を設け、雌螺子孔金属部材への挿通ボルトの螺結により締結する構造、埋め栓により締結する構造等を使用できる。上記のボルト挿通用孔は、前記と同様に金属製またはプラスチック製のボルト挿通用筒状部材の埋め込みにより設けることができ、また、仮設線用枕木片と補助枕木片とを雌雄の段部で嵌合することもできる。
【００２４】
上記補助枕木片１１０と仮設線用枕木片１２０との間は、請求項１に係る枕木とは異なり分離可能とする必要がなく、接着剤で接着することもできる。
【００２５】
上記請求項４に係る枕木の使用例も、既設線の一部区間を新規の本線区間に切り替える場合の例示であるが、前記と同様に、既設線ＡＢ……Ｘ全体を、区間ＡＢ、区間ＢＣ、区間ＣＤ、……の順で本線に切り替えていく場合にも適用できる。
【００２６】
本発明において、本線用枕木片または仮設線用枕木片や補助枕木片の材には、繊維強化樹脂製、木製、プレストコンクリート製等を用いることができるが、請求項４では、ガラス長繊維強化樹脂製を用いている。
このガラス長繊維強化樹脂製は、耐腐食性に優れ、軽量で取扱が容易であり、木材に匹敵する切削加工性を備え、耐振動耐衝撃性に優れており、特に、マトリックスが硬質ポリウレタン発泡体で、密度が０．６〜１．０ｇ／cm３、長繊維含有量が４０〜６０重量％であるものが好適である。
このガラス長繊維強化樹脂製枕木片は、多数本の補強用連続ガラス長繊維を束ねて一方向に進行させ、その進行途中で、ウレタン系樹脂及び発泡剤を含む発泡性樹脂液を滴下して補強用連続ガラス長繊維に含浸させたのち、四個の可動式無端ベルトを組合わせて形成したトンネル状型に引込み、発泡硬化させて型の断面形状に連続的に成形し、この成形物を切削加工することによって製作することができる。
【００２７】
図１２の（イ）〜（ニ）は、請求項６に係る枕木の施工方法を示している。
図１２の（イ）は、施工対象である請求項３記載の枕木の一例を示し、１１は本線用枕木片、１２は補助枕木片、３は両枕木片１１，１２を結合した埋め栓であり、前記したように、枕木片１１，１２及び埋め栓３を同材質、例えばガラス長繊維強化合成樹脂製とすることができる。
図１２の（イ）は仮設線の設置状態を示し、本線用枕木片１１が道床に固定され、仮設線用レール２２，２２が補助枕木片１２，１２に犬釘やタイプレート等により固定されている。
この仮設線を本線に改変するには、図１２の（ロ）に示すように、補助枕木片１２内の埋め栓部分をドリルで穿孔切削した（符号３００で示してある）うえで、図１２の（ハ）に示すように仮設線レール及び補助枕木片を取外す。この段階では、本線用枕木片表面の埋め栓切削露出部３０１が粗面である。次いで、図１２の（ニ）に示すように、本線用枕木片表面の埋め栓切削露出粗面３０１をサンディングし、而るのち、本線用枕木片の本線用レールを固定し、これにて、仮設線から本線への改変工事を終了する。
請求項６に係る枕木の施工方法によれば、本線用枕木片１２にボルト挿通用孔、雌螺子孔埋込み金属部材等を保有させることなく、その本線用枕木片表面を新材と同様な外観にでき、既設本線用枕木片の使用にもかかわらず、綺麗に施工できる。
【００２８】
【発明の効果】
請求項１に係る枕木の構造によれば、仮設線を一時的に設置したのち、その仮設線の枕木から補助枕木片を分離したるのを本線用枕木に使用して本線を構築できるから、道床工事を両線に併用できて本線道床工事を省略でき、また、仮設線工事に配設した枕木から補助枕木片を分離排除して残置させた本線用枕木片を本線工事にそのままで使用できる結果、本線工事を極めて短い工期で施工できる。特に、本線区間が長距離であっても、充分に短い工期で仮設線を本線に改変できるから、この改変工事中の不通による輸送障害を軽度にとどめることができる。
【００２９】
特に、請求項２によれば、上記仮設線の枕木からの補助枕木片の分離を容易に行なうことができる。
【００３０】
特に、請求項３によれば、上記仮設線の枕木から補助枕木片を分離したのちの本線用枕木片にボルト孔等を残存させずに、綺麗な施工が可能になる。
【００３１】
請求項４に係る枕木の構造によれば、仮設線を一時的に設置したのち、その仮設線の枕木に補助枕木片を結合したものを本線用枕木に使用して本線を構築できるから、道床工事を両線に併用できて本線道床工事を省略できる外、設置した仮設線の仮設線用枕木片のみの配設枕木に補助枕木片を結合して本線工事の枕木に使用でき、設置仮設線の枕木を撤去する作業が実質上不要である結果、全体の工程数を少なくでき全体を充分に短い工期で施工でき、更に、本線用道床工事を不要とする分だけ工期を短縮でき、充分に短い工期で施工できる。特に、本線区間が長距離であっても、充分に短い工期で仮設線を本線に改変できるから、この改変工事中の不通による輸送障害を軽度にとどめることができる。
【００３２】
特に、請求項５によれば、材質をガラス長繊維強化樹脂製としているので、耐腐食性、軽量取扱性、切削加工性、耐振動耐衝撃性等の面から、枕木の施工性や強度を良好に保証できる。
【００３３】
特に、請求項６の枕木の施工方法によれば、請求項３記載の枕木を用い良好な外観で本線用枕木を施工できる。
【図面の簡単な説明】
【図１】請求項１に係る枕木の構造の一実施例を示す図面である。
【図２】請求項１に係る枕木を使用して既設線を本線に切り替える工事の工程を示す図面である。
【図３】請求項１に係る枕木の構造の上記とは別の実施例を示す図面である。
【図４】請求項１に係る枕木の構造の上記とは別の実施例を示す図面である。
【図５】請求項１に係る枕木の構造の上記とは別の実施例を示す図面である。
【図６】請求項３に係る枕木の構造の異なる実施例を示す図面である。
【図７】請求項４に係る枕木の構造の一実施例を示す図面である。
【図８】請求項４に係る枕木の構造を使用して既設線を本線に切り替える工事の工程を示す図面である。
【図９】請求項４に係る枕木の構造の上記とは別の実施例を示す図面である。
【図１０】請求項４に係る枕木の構造の上記とは別の実施例を示す図面である。
【図１１】請求項４に係る枕木の構造の上記とは別の実施例を示す図面である。
【図１２】請求項６に係る枕木の施工方法の工程を示す図面である。
【図１３】既設線を本線に切り替える従来の工事の工程を示す図面である。
【符号の説明】
１１                本線用枕木片
１２                補助枕木片
２１                本線用レール
２２                仮設線用レール
３                  締結部材または埋め栓
１１０              補助枕木片
１２０              仮設線用枕木片
３００              穿孔切削跡
【図１】
0003877570.tif 000002
【図２】
0003877570.tif 000003
【図３】
0003877570.tif 000004
【図４】
0003877570.tif 000005
【図５】
0003877570.tif 000006
【図６】
0003877570.tif 000007
【図７】
0003877570.tif 000008
【図８】
0003877570.tif 000009
【図９】
0003877570.tif 000010
【図１０】
0003877570.tif 000011
【図１１】
0003877570.tif 000012
【図１２】
0003877570.tif 000013
【図１３】
0003877570.tif 000014